(57)【要約】【課題】引出し扉の閉め終わる間際の引き込み力を増して扉を完全に閉めることができ、フレームや移動ローラーが内側に倒れたりすることがない安定した扉の開閉を行うことができる冷蔵庫を提供すること。【解決手段】引出し扉３と、移動ローラー２１が設けられて食品等を収納するケース４を支持する一対のフレーム２０と、内箱５に取り付けられフレーム２０の移動ローラー２１が移動するほぼ断面コ字状の収納スペース１２を有し、フレーム２０の移動を支持する固定ローラー１１が設けられたレール１０とを備え、収納スペース１２の底面１３の最後部近傍に移動ローラー２１の引き込み力を増す下方段差面１３ｃを設けた。【選択図】図４
2011112305.tif 000002
【特許請求の範囲】
【請求項１】
前側に引出し扉を備え、後側に移動ローラーが設けられて食品等を収納するケースを支持する一対のフレームと、
冷蔵庫本体の内箱に取り付けられ、前記フレームの移動ローラーが底面および上面に沿って移動するほぼ断面コ字状の収納スペースを有し、該収納スペースの前側に前記フレームの移動を支持する固定ローラーが設けられたレールとを備え、
前記収納スペースの底面の最後部近傍に、下方に落ち込んで形成され前記移動ローラーの引き込み力を増す下方段差面を設けたことを特徴とする冷蔵庫。
【請求項２】
前記下方段差面は前記底面に対して１〜５ｍｍ程度下方に落ち込んで形成されたことを特徴とする請求項１記載の冷蔵庫。
【請求項３】
前記下方段差面の前側に、前記底面から下方傾斜する傾斜面を設けたことを特徴とする請求項１または２記載の冷蔵庫。
【請求項４】
前記傾斜面と前記下方段差面とは、それぞれ前記フレームの移動ローラーの直径よりも長いことを特徴とする請求項１〜３のいずれかに記載の冷蔵庫。
【請求項５】
前記フレームの底面の前側に、上方に段上がりして形成され前記固定ローラーと係止して引き込み力を増す上方段差面を設けたことを特徴とする請求項１〜４のいずれかに記載の冷蔵庫。
【請求項６】
前側に引出し扉を備え、後側に移動ローラーが設けられて食品等を収納するケースを支持する一対のフレームと、
冷蔵庫本体の内箱に取り付けられ、前記フレームの移動ローラーが底面および上面に沿って移動するほぼ断面コ字状の収納スペースを有し、該収納スペースの前側に前記フレームの移動を支持する固定ローラーが設けられたレールとを備え、
前記収納スペースの底面及び上面の側端部に沿って、前記移動ローラーの幅方向への移動を規制する上向きリブ及び下向きリブを設けたことを特徴とする冷蔵庫。
【請求項７】
前記上向きリブは底面の側端部のほぼ全長に渡って設けられ、前記下向きリブは上面の側端部の中央部より前側に設けられたことを特徴とする請求項６記載の冷蔵庫。
【請求項８】
前記収納スペースの底面の中央部より前側の一部を高くして段上がり面を設け、該段上がり面が位置する近傍に前記下向きリブを設けたことを特徴とする請求項７記載の冷蔵庫。
【請求項９】
前記収納スペースの段上がり面が位置する近傍に設けられた上向きリブの頂部高さは、その前後に位置する上向きリブの頂部高さと同一であることを特徴とする請求項８記載の冷蔵庫。
【請求項１０】
前記収納スペースの段上がり面が位置する近傍の内箱内に、該収納スペースをほぼコ字状に挟み込むようにして補強部品であるガセットを設けたことを特徴とする請求項８または９記載の冷蔵庫。
【請求項１１】
前側に引出し扉を備え、後側に移動ローラーが設けられて食品等を収納するケースを支持する一対のフレームと、
冷蔵庫本体の内箱に取り付けられ、前記フレームの移動ローラーが底面および上面に沿って移動するほぼ断面コ字状の収納スペースを有し、該収納スペースの前側に前記フレームの移動を支持する固定ローラーが設けられたレールとを備え、
前記収納スペースの底面の最後部近傍に、下方に落ち込んで形成され前記移動ローラーの引き込み力を増す下方段差面を設けるとともに、
前記収納スペースの底面及び上面の側端部に沿って、前記移動ローラーの幅方向への移動を規制する上向きリブ及び下向きリブを設けたことを特徴とする冷蔵庫。
【発明の詳細な説明】
【技術分野】
【０００１】
本発明は、冷蔵庫に係り、特に、引出し扉装置を改良した冷蔵庫に関するものである。
【背景技術】
【０００２】
従来、冷蔵庫の引出し扉のレール収納部の底面は、移動ローラーの摺動が滑らかになるように平面状に形成されており、また扉のケースに重負荷を掛けたときにフレームおよび移動ローラーが冷蔵庫の幅方向内側に引張られるのを規制するために、レール収納部の底面端面から上向きリブを全長に渡って備えているものがある（例えば、特許文献１参照）。
また、レール収納部の天井面端面から下向きリブを全長に渡って設けたものがある（例えば、特許文献２参照）。
【先行技術文献】
【特許文献】
【０００３】
【特許文献１】特開２０００−２６６４５７号公報（第３頁、図１）
【特許文献２】特開２０００−１８６８８４号公報（第３頁、図１）
【発明の概要】
【発明が解決しようとする課題】
【０００４】
特許文献１の冷蔵庫では、冷蔵庫の扉に重負荷が掛かった場合や、扉とは連動して動かない別のケースが引き出されたままの場合は、引出し扉を閉め終わる間際に押し込み力が足りずに扉が閉め切らず、若干空いてしまって露がついてしまう等の問題があった。また、レール収納部の底面端面から上向きリブが設けられているが、扉を引き出した際にレールの移動ローラーが収納部から脱落してしまう場合があった。
特許文献２の冷蔵庫では、扉のケースに重負荷が掛かった場合、レール収納部の天井面端面から下向きリブがある場合は上部は規制されて動かないが、下部は内側に倒れてしまい、レールが破損したりフレームが変形することがあった。
【０００５】
本発明は、上記のような課題を解決するためになされたもので、扉に重負荷が掛かった場合等でも、引出し扉の閉め終わる間際の押し込み力を増して扉を完全に閉めることができる冷蔵庫を提供することを目的とする。
また、扉のケースに重負荷が掛かった場合でも、フレームや移動ローラーが内側に倒れたり、収納部から脱落することがなく、さらにレールが破損したりフレームが変形したりすることがないため、安定した扉の開閉を行うことができる冷蔵庫を提供することを目的とする。
【課題を解決するための手段】
【０００６】
本発明に係る冷蔵庫は、前側に引出し扉を備え、後側に移動ローラーが設けられて食品等を収納するケースを支持する一対のフレームと、冷蔵庫本体の内箱に取り付けられ、フレームの移動ローラーが底面および上面に沿って移動するほぼ断面コ字状の収納スペースを有し、収納スペースの前側にフレームの移動を支持する固定ローラーが設けられたレールとを備え、
収納スペースの底面の最後部近傍に、下方に落ち込んで形成され移動ローラーの引き込み力を増す下方段差面を設けたものである。
【０００７】
また、本発明に係る冷蔵庫は、前側に引出し扉を備え、後側に移動ローラーが設けられて食品等を収納するケースを支持する一対のフレームと、冷蔵庫本体の内箱に取り付けられ、フレームの移動ローラーが底面および上面に沿って移動するほぼ断面コ字状の収納スペースを有し、収納スペースの前側にフレームの移動を支持する固定ローラーが設けられたレールとを備え、
収納スペースの底面及び上面の側端部に沿って、移動ローラーの幅方向への移動を規制する上向きリブ及び下向きリブを設けたものである。
【発明の効果】
【０００８】
本発明に係る冷蔵庫の引出し扉装置は、収納スペースの最後部近傍の底面に下方段差面を設けたので、引出し扉を閉め終わる間際に引き込み力が増して、引出し扉を完全に閉めることができる。
【０００９】
また、本発明に係る冷蔵庫の引出し扉装置は、収納スペースの底面及び上面の側面部に沿って上向きリブ及び下向きリブを設けたので、引出し扉のケースに重負荷が掛かったときでもフレームや移動ローラーが内側に倒れることがなく、またレールが破損したりフレームが変形したりせず、安定した状態で扉開閉を行うことができる。
【図面の簡単な説明】
【００１０】
【図１】本発明の一実施の形態に係る冷蔵庫の側面図である。
【図２】図１の冷蔵庫の引出し扉装置のレールを示す斜視図である。
【図３】図１の冷蔵庫の引出し扉装置のレールとフレームの関係を示す斜視図である。
【図４】図３の側面図である。
【図５】図４のＺ−Ｚ断面図である。
【図６】図４のＹ−Ｙ断面図である。
【図７】図４のＸ−Ｘ断面図である。
【発明を実施するための形態】
【００１１】
図１において、冷蔵庫本体の前面開口部には上扉１、中扉２、引出し扉３がそれぞれ設けられている。そして、引出し扉３の裏面には全体として断面ほぼコ字状のフレーム枠体が設けられており、引出し扉３の裏面に設けた補強板を介して一対のフレーム２０、２０がネジ固定され、フレーム２０、２０の後端はロッドによって連結されている（図示せず）。そして、フレーム２０、２０には食品等を収納するケース４が支持されている。
【００１２】
図２〜図７において、冷蔵庫本体の内壁を構成する内箱５の対向する内壁面には、断面ほぼコ字状のプラスチック製のレール１０が取り付けられている。
そして、レール収納部（収納スペース）１２のレール底面（底面）１３は平面状に形成された基本底面１３ａを備え、基本底面１３ａの最後部近傍（図の右側）には傾斜面１３ｂと段落ち面（下方段差面）１３ｃとが形成されており、段落ち面１３ｃは傾斜面１３ｂを介してその後側に位置している。この傾斜面１３ｂと段落ち面１３ｃとは、フレーム１０の移動ローラー（後述）の直径よりも距離が長く形成されており、段落ち面１３ｃは、例えば基本底面１３ａよりも１〜５ｍｍ程度落ち込んでいる。また、基本底面１３ａの前側（図２の左側）には段上がり面（上方段差面）１３ｄが形成されており、先端部には前方に下方傾斜する傾斜面１３ｅが形成され、その前側に固定ローラー１１が設けられている。段上がり面１３ｄは、例えば基本底面１３ａよりも０．３〜３ｍｍ程度上がっており、固定ローラー１１より例えば５０ｍｍ程度後ろ側から３０〜１００ｍｍ程度の範囲で設けられている。
なお、レール収納部１２のレール上面（上面）１４は、平面状に形成されてレール底面１３に対向している。
【００１３】
レール収納部１２のレール底面１３の側端部（開口側端部）には、上向きリブ１５がレール方向に沿ってほぼ全長に渡って設けられている（図５〜図７参照）。この上向きリブ１５は、段上がり面１３ｄと基本底面１３ａの位置では頂部の高さは同一であり（従って、上向きリブ１５自体の高さは段上がり面１３ｄの部分では低くなる）、基本底面１３ａと傾斜面１３ｂ及び段落ち面１３ｃの位置では、上向きリブ１５は面の変化に合わせて頂部の高さが変化している（この場合、上向きリブ１５自体の高さは同一である）。
また、レール収納部１２のレール上面１４の側端部（開口側端部）の前側（図２の左側）には、固定ローラー１１より例えば５０ｍｍ程度後側から３０〜１００ｍｍ程度の範囲で、下向きリブ１６がレール方向に沿って設けられている（図５参照）。
【００１４】
レール１０には、フレーム２０が摺動自在に取り付けられている。フレーム２０の後側（図３の右側）には、レール収納部１２のレール底面１３とレール上面１４に沿って前後方向に摺動する移動ローラー２１が設けられており、フレーム２０の底面にはレール１０に設けた固定ローラー１１上を摺動する載り面２１ａが設けられている。そして、フレーム２０は載り面２１ａの後側にストッパー２２が設けられ、前側には載り面２１ａから傾斜面２１ｂを介して、例えば１〜５ｍｍ程度の段上がり面２１ｃが設けられている。
【００１５】
このように構成された引出し扉装置では、引出し扉３に掛かる荷重は常に固定ローラー１１に掛かるが、通常の引出し扉３の開閉では、引出し扉３の位置によりレール１０に掛かる荷重の位置は変化する。引出し扉３をほぼ半分以上閉じたときには、図６（図４のＹ−Ｙ断面図）に示すように荷重はレール１０の基本底面１３ａに掛かる。引出し扉３を完全に閉じたときは、図７（図４のＸ−Ｘ断面図）に示すように加重はレール１０の段落ち面１３ｃに掛かる。
【００１６】
引出し扉３をほぼ半分以上開いたときは、荷重がレール１０の収納部１２の天井面（レール上面１４側）に掛かり、特に引出し扉３をフレーム２０のストッパー２２の位置まで引き出したときは、図５（図４のＺ−Ｚ断面図）に示すように、固定ローラー１１と移動ローラー２１との距離が最も縮まり、固定ローラー１１と移動ローラー２１およびフレーム２０に引出し扉３の荷重が最も掛かることとなる。そのため、本実施の形態においては、図４、図５に示すように、固定ローラー１１から後側に例えば１００〜２００ｍｍ程度にわたって、レール１０の補強および固定ローラー１１の固定のために、板金の補強部品であるガセット３０が、内箱５の裏側に、レール１０をコの字に挟み込むようにして設けられている。そして、レール１０の中央部より前側のレール収納部１２の天井面に設けた補強リブ１７等の補強部が、内箱５を挟んでガセット３０に当接している。
【００１７】
この範囲には先の述べた上向きリブ１５と下向きリブ１６が位置しており、レール収納部１２のレール底面１３は段上がり面１３ｄでは肉盛されて厚肉になっており、上向きリブ１５はこの範囲では高さが低くなっている。また、段上がり面１３ｄは肉盛されているので、移動ローラー２１と、レール収納部１２のレール上面１４及びレール底面１３とのクリアランスは小さくなっている。この範囲では、移動ローラー２１によって常に天井面（レール上面１４）に強度が掛かるが、下向きリブ１６と段上がり面１３ｄのある範囲はガセット３０によって補強されているので強度に耐えることができる。
【００１８】
上記の引出し扉装置において、レール１０はプラスチック部品であり、図５の場合、左右方向への基本抜きの型に対し、上向きリブ１５と下向きリブ１６ともスライドにて成形しなければならないが、上向きリブ１５を固定ローラー１１から５０ｍｍ程度後側から３０〜１００ｍｍ程度の範囲にしたので、上向きリブ１５と下向きリブ１６との距離が１５〜４０ｍｍ程度と短い場合でも、スライド同士が近接する範囲が狭いために、成形時に破損することがない金型とすることができる。さらに、無駄な範囲にリブのない、コストの安い構造とすることができる。また、下向きリブ１６は範囲が狭いために、補強リブ１７付近に穴を開けて上向きリブ押切構造によって成形することもできる。
【００１９】
次に、動作を説明する。
引出し扉３を引くと、フレーム２０に設けられた移動ローラー２１は、レール１０の収納部１２内を上向きリブ１５と下向きリブ１６によって規制されて摺動し、フレーム２０の載り面２１ａは、固定ローラー１１上に載りながら前側に摺動する。こうして、引き出し扉３は、フレーム２０のストッパー２２の位置まで引き出される。
このとき、ケース４に大きな荷重が掛かると、移動ローラー２１およびフレーム２０が中央側に引張られるが、図５に示すように、上向きリブ１５と下向きリブ１６によって移動ローラー２１とフレーム２０は規制される。そして、強度部品であるガセット３０のある範囲内には下向きリブ１６と段上がり面１３ｄが設けられており、さらにレール１０の中央部より前側の上面に設けた補強リブ１７が内箱５を挟んでガセット３０に当接しているので、天井面、底面とも変形することがない。また、収納部１２のレール底面１３には段上がり面１３ｄが形成され、上向きリブ１５はこの範囲では高さが低くなっているため、力が強く働く範囲では、上向きリブ１５自体も強度が強くなっている。従って、引出し扉３のケース４に大きな負荷が掛かった場合でも、フレーム２０および移動ローラー２１が内側に倒れることはなく、また、レール１０が破損したりフレーム２０が変形したりすることもない。
【００２０】
次に、引出し扉３を押し込むと、フレーム２０に設けられた移動ローラー２１は、レール１０の収納部１２内を上向きリブ１５と下向きリブ１６によって規制されて摺動し、フレーム２０の載り面２１ａは、固定ローラー１１上に載りながら後方に摺動する。
このとき、引出し扉３の前側では、固定ローラー１１上を、フレーム２０の載り面２１ａから傾斜面２１ｂを介して段上がり面２１ｃが摺動し、その段差分のみ引出し扉３の前側が下がる。そして、引出し扉３の後側では、移動ローラー２１がレール１０の基本底面１３ａから傾斜面１３ｂを通り、段落ち面１３ｃによって下がり、引出し扉３の後ろ側も下がる。すなわち、図７のように、最後部近傍の段落ち面１３ｃに移動ローラー２１が落ち込み、その力は引出し扉３を閉める力となり、引出し扉３が閉まり易くなる。その際に、傾斜面１３ｂが設けられているために、引出し扉３はスムーズに開閉することができる。
【００２１】
本発明によれば、冷蔵庫本体の引出し扉装置は、フレーム２０の前側に段上がり面２１ｃを設け、さらに移動ローラー２１の収納部１２の最後部近傍にも、レール１０に、傾斜面１３ｂと、一段落しとした段落ち面１３ｃを設けたので、引出し扉３を閉め終わる間際に引き込み力が増加して、引出し扉３を完全に閉めることができる。
また、レール１０に下向きリブ１６と上向きリブ１５を設けて移動ローラー２１を幅方向内側に規制するようにしたので、引出し扉３のケース４に大きな負荷が掛かったときでもフレーム２０および移動ローラー２１が内側に倒れることがなく、またレール１０の破損やフレーム２０が変形することもないので、安定して扉開閉を行うことができる。
【符号の説明】
【００２２】
３  引出し扉、４  食品等を収納するケース、５  内箱、１０  レール、１１  固定ローラー、１２  レール収納部（収納スペース）、１３  レール底面（底面）、１３ａ  基本底面、１３ｂ  傾斜面、１３ｃ  段落ち面（下方段差面）、１３ｄ  段上がり面（上方段差面）、１４  レール上面（上面）、１５  上向きリブ、１６  下向きリブ、２０  フレーム、２１  移動ローラー、２１ｃ  段上がり面（上方段差面）、３０  ガセット。
【図１】
2011112305.tif 000003
【図２】
2011112305.tif 000004
【図３】
2011112305.tif 000005
【図４】
2011112305.tif 000006
【図５】
2011112305.tif 000007
【図６】
2011112305.tif 000008
【図７】
2011112305.tif 000009